(57)【要約】【課題】安価な構造で銀イオンの溶出を行うイオン溶出装置を有する洗濯機を提供する。【解決手段】洗濯時やすすぎ時に注水を行う洗濯機の給水装置において、該給水装置の給水経路に設けられた籠体を有し、該籠体の内部には銀イオンを練り込んだ銀クリスタル材を封入し、かつこの籠体の壁面には水を通過させることが可能な透孔を複数有する構成としたもので、抗菌作用のある銀イオンの溶出を安価で簡単な構造で銀クリスタル材を給水通路に配したり、使用したくないときはスライドさせ、給水経路より外して収納することができるためＡｇを節約したり使わないようにすることが可能である。【選択図】図３
2013135781.tif 000002
【特許請求の範囲】
【請求項１】
洗濯時やすすぎ時に注水を行う洗濯機の給水装置において、該給水装置の給水経路に設けられた籠体を有し、該籠体の内部には銀を練り込んだ銀クリスタル材を封入し、かつこの籠体の壁面には水を通過させることが可能な透孔を複数有する構成とし、前記籠体は、スライドさせることにより前記籠体を給水経路外に収納できるようにした洗濯機の銀イオン溶出装置。
【発明の詳細な説明】
【技術分野】
【０００１】
本発明は、抗菌性のある銀イオンを洗濯水の中に溶出するイオン溶出装置を備えた洗濯機に関するものである。
【背景技術】
【０００２】
従来、この種の洗濯機は、洗濯物を清潔に仕上げる為に、洗濯を行う際の洗濯水やすすぎ水の給水時に金属イオンを溶出させ殺菌作用を衣類に与える構成が提案されている（例えば、特許文献１参照）。
【０００３】
図７、８は、特許文献１に記載された従来の洗濯機の金属イオン溶出装置を示すものである。
【０００４】
図７の洗濯機断面図に示すように、洗濯機の外箱９０上方に配置したバックパネル５２内部に電磁的に開閉する給水弁５０と洗濯槽１３０内部に臨む位置に給水口５３を配し、給水弁５０と給水口５３の間にイオン溶出ユニット１００を配管する。
【０００５】
イオン溶出ユニット１００は、図８のイオン溶出装置の水平断面図に示すように、ケース１１０は、洗濯水の流入口１１１と流出口１１２を有し、内部に銀プレート等で構成した電極１１３，１１４を、距離を隔てて配置し、ケース１１０の内部を給水中に電圧印加することにより、陽極においてＡｇ→Ａｇ+＋ｅ-の反応が起こり、水中に銀イオン（Ａｇ+）が溶出し衣類に付着する構成である。
【先行技術文献】
【特許文献】
【０００６】
【特許文献１】特開２００４−１７３７１７号公報
【発明の概要】
【発明が解決しようとする課題】
【０００７】
しかしながら、前記従来の構成では、構造が複雑で且つ、高価な部品を使用し電極などの制御部品等が必要であり、一般的な洗濯機には組込が難しかった。そのため高級タイプの洗濯機にしか使用することができない、という課題を有していた。
【０００８】
本発明は、前記従来の問題を解決するもので、安価な構造で銀イオンの溶出を長期間にわたり安定して効率良く行うことのできるイオン溶出装置で該イオン溶出を停止したり溶出させたりすることが切り替え出来るようにしたことを有する洗濯機を提供することにある。
【課題を解決するための手段】
【０００９】
前記従来の課題を解決するために、本発明の洗濯機の銀イオン溶出装置は、洗濯時やすすぎ時に注水を行う洗濯機の給水装置において、該給水装置の給水経路に設けられた籠体を有し、該籠体の内部には銀を練り込んだ銀クリスタル材を封入し、かつこの籠体の壁面には水を通過させることが可能な透孔を複数有する構成とし、前記籠体は、スライドさせることにより前記籠体を給水経路外に収納できるようにした構成としている。
【発明の効果】
【００１０】
本発明の洗濯機の銀イオン溶出装置は、抗菌作用のある銀イオンの溶出を安価で簡単な構造で銀クリスタル材を給水通路に配したり、使用したくないときはスライドさせて収納して給水経路より外して行うことができるためＡｇ（銀）を節約したり使わないようにすることが可能である。
【図面の簡単な説明】
【００１１】
【図１】本発明の実施の形態１における洗濯機の縦断面図
【図２】同洗濯機の銀イオン溶出装置部付近の断面図
【図３】同洗濯機の銀イオン溶出装置部の分解斜視図
【図４】従来の洗濯機の断面図
【図５】同洗濯機のイオン溶出装置の水平断面図
【発明を実施するための形態】
【００１２】
第１の発明は、洗濯時やすすぎ時に注水を行う洗濯機の給水装置において、該給水装置の給水経路に設けられた籠体を有し、該籠体の内部には銀を練り込んだ銀クリスタル材を封入し、かつこの籠体の壁面には水を通過させることが可能な透孔を複数有する構成とし、前記籠体は、スライドさせることにより前記籠体を給水経路外に収納できるようにしたことを特徴とする。
【００１３】
これにより、抗菌作用のある銀イオンの溶出を安価で簡単な構造で銀クリスタル材を給水通路に配したり、使用したくないときはスライドさせて収納して給水通路より外して行うことができるためＡｇ（銀）を節約したり使わないようにすることが可能である。
【００１４】
以下、本発明の実施の形態について、図面を参照しながら説明する。なお、この実施の形態によって本発明が限定されるものではない。
【００１５】
（実施の形態１）
図１は、本発明の第１の実施の形態の洗濯機の縦断面図、図２は、同洗濯機の銀イオン溶出装置部付近の断面図、図３は、洗濯機の銀イオン溶出装置部の斜視図を示す。
【００１６】
図１において、洗濯機の本体１１は、内部に洗濯兼脱水槽１５を回転自在に内設した水槽１３をサスペンション１２により懸垂防振支持している。
【００１７】
洗濯兼脱水槽１５は、側壁に多数の脱水孔１６を有するとともに、上部内周に振動吸収用の流体バランサー１７を有し、中央底部にはパルセータ１４を回転自在に配設する。
【００１８】
洗濯・脱水軸は中空で２軸構造とし、水槽１３の外底部の伝達機構部１９の内部の減速ギアおよびクラッチ（図示せず）で、洗濯・脱水軸の回転切り換えを行い、モータ２０の回転を洗濯時にはパルセータ１４に、脱水時に洗濯兼脱水槽１５にそれぞれ回転伝達する。
【００１９】
本体１１の上部には上部枠体２４を配し、上部枠体２４の略中央部には、洗濯兼脱水槽１５と外部とを連通するための洗濯物投入取出口２５を形成し、洗濯物投入取出口２５は蓋体２６にて開閉自在に覆われている。上部枠体２４の前方側の内部には、制御装置２７を配し、後方側の内部には、水道蛇口（図示せず）と給水ホース３０で連結した電磁力により開閉可能な給水弁２８を配設している。
【００２０】
給水弁２８の先には給水口（給水経路）３６を接続し上部枠体２４に固定している。給水口３６の先端上部には、銀イオンを練り込んだ小片状の銀クリスタル材４を内包し水が通過できる透孔を複数有する籠体（銀イオン溶出装置）５１を構成している。さらに籠体５１にはスライド可能なつまみ５２を有している。なお、本実施の形態では給水弁２８と給水口（給水経路）３６を総称して給水装置と呼ぶこととする。
【００２１】
図３は、籠体５１をスライド可能なつまみ５２により給水口（給水経路）３６の外に収納した状態の図面である。籠体５１を収納した状態であれば給水弁２８より流出した水は給水口（給水経路）３６に流れ出るが籠体５１の銀クリスタル材４を通過せずに洗濯兼脱水槽１５に流入する。そのためＡｇイオンは洗濯兼脱水槽１５内に流れこまない。
【００２２】
籠体５１を給水時に水を通過させる際には、スライド可能なつまみ５２を図３の略右方向にスライドさせて給水口（給水経路）３６内に籠体５１をスライドさせ、給水弁２８より流出した水は給水口（給水経路）３６に流れ出て籠体５１の銀クリスタル材４を通過し、洗濯兼脱水槽１５に流入する。そのためＡｇイオンは洗濯兼脱水槽１５内に流れこんでいく。
【００２３】
この銀クリスタル材４は、主材料に水溶性の三酸化二硼素（Ｂ２Ｏ３）に銀を練り込んだ部材として粒子状の固形物状態に加工された多数の小片として構成している。
【００２４】
以上のように構成された洗濯機の銀イオン溶出装置について以下その動作、作用を説明する。
【００２５】
制御装置２７からの信号により洗濯運転が開始し、電磁力により開閉可能な給水弁２８が開放されることにより給水ホース３０から給水液が流入して給水口（給水経路）３６に流れこむこの水が透孔を介して籠体５１に流れこむ。銀クリスタル材４に水が流れこみ、そのためＡｇイオンが溶け出して洗濯槽内に流れ込む。その結果、銀クリスタル材４の中に練り込まれている銀イオン（Ａｇ＋）が水中に溶出し衣類に付着し、洗濯物の抗菌処理をする事が出来る。
【００２６】
また、使用者が抗菌処理をしたくない場合や銀クリスタル材４の消費を抑制したい場合には、図３に示すように籠体５１をスライド可能なつまみ５２により給水口（給水経路）３６の外に収納しておけば、制御装置２７からの信号により洗濯運転が開始し、電磁力により開閉可能な給水弁２８が開放されることにより給水ホース３０から給水液が流入して給水口（給水経路）３６に流れこむが、この水は籠体５１に流れこまない。その結果、銀クリスタル材４を水が通過しないので、銀イオン（Ａｇ＋）が水中に溶出せず、洗濯物の抗菌処理はぜずに、銀クリスタル材４の消費を抑制する事が出来る。
【産業上の利用可能性】
【００２７】
以上のように、本発明にかかる洗濯機の銀イオン溶出装置は、抗菌作用のある銀イオンの溶出を安価で簡単な構造で行うことが出来るので、抗菌性のある銀イオンを洗濯水の中に溶出するイオン溶出装置を備えた洗濯機に有用である。
【符号の説明】
【００２８】
４  銀クリスタル材
１３  水槽
１５  洗濯兼脱水槽
３６  給水口（給水経路）
５１  籠体（銀イオン溶出装置）
【図１】
2013135781.tif 000003
【図２】
2013135781.tif 000004
【図３】
2013135781.tif 000005
【図４】
2013135781.tif 000006
【図５】
2013135781.tif 000007